(57)【要約】【課題】周辺バックライト駆動装置等の高性能化を行なうことなく、色再現性技術領域において、ディスプレイ画面全域にわたり安定したホワイトバランス（一定色度値）を実現するための表示装置、画質調整方法及び画質調整装置を提供する。【解決手段】ディスプレイ特性調整回路２０は、ガンマ特性調整ブロック２１、ゲイン調整ブロック２２、バイアス調整ブロック２３から構成されている。このガンマ特性調整ブロック２１は、ディスプレイをｎ行ｎ列のブロックに分割して、ブロック毎のガンマ特性テーブルから構成されたブロック別テーブル２１Ｔを備える。更に、各ガンマ調整器（２１Ｒ，２１Ｇ，２１Ｂ）は統合変換手段２１２を備える。この統合変換手段２１２は、ブロック間の境界近傍を境界領域に含まれる画素に対する入力信号に対して、周囲の隣接ブロックのガンマ特性テーブルを利用して新係数を生成するブロック制御処理を実行する。【選択図】図１
2008306431.tif 000002
【特許請求の範囲】
【請求項１】
入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置であって、
前記ガンマ調整ユニットは、ディスプレイの管面を分割した複数のブロックに対応させたガンマ調整手段を備え、前記ガンマ調整手段は、各ブロックにおける色度が一致するように調整されており、
前記出力調整ユニットは、前記ブロック毎にゲイン調整手段を備え、前記ゲイン調整手段は、各ブロックにおける最大輝度が一致するように調整されており、
前記ガンマ調整ユニットは、入力信号の走査位置が含まれるブロックを特定し、このブロックについてのガンマ調整手段を用いてガンマ調整を行ない、
前記出力調整ユニットは、前記特定されたブロックについてのゲイン調整手段を用いてゲイン調整を行なうことを特徴とする表示装置。
【請求項２】
前記ガンマ調整ユニットは、入力信号の走査位置が、前記特定されたブロックの隣接ブロックの境界から所定幅内にある場合には、前記特定されたブロックのガンマ調整手段及び前記隣接ブロックのガンマ調整手段を用いてガンマ調整を行なうことを特徴とする請求項１に記載の表示装置。
【請求項３】
前記ガンマ調整ユニットは、入力信号の走査位置が前記特定されたブロックの隣接ブロックの境界から所定幅内にある場合には、前記境界からの距離に応じて、前記特定されたブロックのガンマ調整手段及び前記隣接ブロックのガンマ調整手段の重み付け制御によってガンマ調整を行なうことを特徴とする請求項２に記載の表示装置。
【請求項４】
前記ブロックは、ディスプレイの管面の輝度分布のレベル差は基準値以下になるように定められた分割数を用いて決定されることを特徴とする請求項１〜３のいずれか１つに記載の表示装置。
【請求項５】
前記ブロック毎に設けられた前記ガンマ調整手段は、第１ガンマ調整手段と第２ガンマ調整手段とから構成されており、
前記ガンマ調整ユニットは、前記第１、第２ガンマ調整手段の出力の何れかを選択するスイッチ手段を介して出力調整ユニットに接続され、
前記第１ガンマ調整手段は、ＲＧＢ信号に含まれる各色のレベルが一致しない場合に用いる第１ガンマ特性を出力し、
前記第２ガンマ調整手段は、前記第１ガンマ特性においてＲＧＢ信号に含まれる各色のレベルが一致する場合の輝度を共通にして異なる色度を設定した第２ガンマ特性を出力し、
前記スイッチ手段は、ＲＧＢ信号に含まれる各色のレベルの一致を検知した場合のみ、前記第２ガンマ調整手段の出力を選択することを特徴とする請求項１〜４のいずれか１つに記載の表示装置。
【請求項６】
入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置の画質調整方法であって、
前記ディスプレイの管面を分割した複数のブロックに分割する段階と、
前記ブロック毎に、最大白色入力時に対する最小輝度を取得する段階と、
前記ブロック毎において、前記最小輝度と、予め設定された目標色度になるようにＲＧＢ出力の出力調整を行なう段階と、
前記出力調整に基づいて、前記ブロック毎において、一定のガンマ特性を実現できるよ
うにガンマ調整ユニットを調整する段階と
を実行することを特徴とする画質調整方法。
【請求項７】
入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置の画質を調整する画質調整装置であって、
前記画質調整装置が、
前記ディスプレイの管面を分割した複数のブロックに分割し、
前記ブロック毎に、最大白色入力時に対する最小輝度を取得し、
前記ブロック毎において、前記最小輝度と、予め設定された目標色度になるようにＲＧＢ出力の出力調整を行ない、
前記出力調整に基づいて、前記ブロック毎において、一定のガンマ特性を実現できるようにガンマ調整ユニットを調整することを特徴とする画質調整装置。
【発明の詳細な説明】
【技術分野】
【０００１】
本発明は、色再現性技術において、ディスプレイ画面全域にわたり安定したホワイトバランス（一定色度値）を実現するための表示装置、画質調整方法及び画質調整装置に関する。
【背景技術】
【０００２】
画像データをディスプレイ等の画像出力装置に表示させる場合、ディスプレイの大きさやパネル特性を考慮したデータ変換が行なわれており、このために、ガンマ値やホワイトバランスを調整する（例えば、特許文献１参照）。また、画像出力装置には、画質を調整するための画質調整エンジンが設けられているものもある。そして、液晶モジュールを備えたテレビジョン受像機においては、効率よく低廉にホワイトバランスを調整するための技術も検討されている（例えば、特許文献２参照）。
【０００３】
ここで、図１８を用いて、従来のディスプレイ特性調整回路１０を説明する。信号処理回路ＳＰからＲＧＢ信号がディスプレイ特性調整回路１０に供給され、ディスプレイ特性調整回路１０は液晶ディスプレイ（ＬＣＤ５０）にＲＧＢ信号を供給する。このディスプレイ特性調整回路１０は、ＲＧＢ信号毎にガンマ特性調整ブロック１１、ゲイン調整ブロック１２、バイアス調整ブロック１３から構成されている。
【０００４】
このガンマ特性調整ブロック１１においては、ガンマ調整テーブル（１１Ｒ、１１Ｇ、１１Ｂ）を備え、ＲＧＢ信号のガンマ特性を調整する。ゲイン調整ブロック１２においては、ゲイン調整器（１２Ｒ、１２Ｇ、１２Ｂ）により各ＲＧＢ信号のゲインを調整する。バイアス調整ブロック１３においては、ゲイン調整器（１３Ｒ、１３Ｇ、１３Ｂ）により各ＲＧＢ信号のＤＣオフセットを調整する。
【０００５】
この調整について、図１９（ａ）を用いて説明する。図１９（ａ）においては、各ＲＧＢ信号は最大値により規格化されている。まず、カットオフ調整及びホワイトバランス（ＷＢ）調整を行なう。カットオフ調整においては、図１９（ａ）に示すように、黒レベル設定において「黒」が表示されるように、各ＲＧＢ信号のバイアスを調整する。一方、ホワイトバランス調整においては、最大輝度時に「白」が表示されるように、最大輝度色度を設定する。
【０００６】
更に、中間階調特性ずれによりＲＧＢセット毎の色ずれが生じないように、ＲＧＢ信号のガンマ調整テーブル（１１Ｒ、１１Ｇ、１１Ｂ）により、ＲＧＢ入出力正規化特性を一致させるようにガンマ特性を設定する。この結果、図１９（ｂ）に示すように、各信号の特性が一致するように設定される。
【特許文献１】特開２００５−３４０９５４号公報（第１頁）
【特許文献２】特開２００６−３２５０１４号公報（第１頁）
【発明の開示】
【発明が解決しようとする課題】
【０００７】
液晶ディスプレイやモニターが主にパーソナルコンピュータ端末（ＰＣ）用として使用されている場合は小型画面サイズや、グラフィックデータの表示用途に限定されており、特性的には問題は生じない。しかし、ＰＣ上で動画像を見るケースが増えるにつれ、画面の大型化が要求されてきた。ここで、従来の調整方法では、ＲＧＢの輝度レベルの中間階調特性は一致するが、色度は最大輝度時の設定色度とは必ずしも一致しない。また、ＲＧＢ特性は一致するが、輝度特性は異なることになる。
【０００８】
更に、ＣＲＴ（Cathode Ray Tube）に代わる新たな家庭用ＴＶディスプレイとして、近年、液晶ディスプレイが使用されるようになり、家庭用としての大型画面化も加速してきている。また、バックライトによるコントラスト拡大やカラーフィルターによる色再現性向上等の技術が採用されてきている。
【０００９】
このような状況下で新たな大画面ＴＶディスプレイ特有のホワイトバランス上の問題が検知されるようになった。
（１）バックライト照度の画面内不均一性により発生する、同一信号特性出力に対して異なる色再現性表現の問題。
（２）大画面化による左右・上下両端での駆動能力の不均一性により発生する、同一信号特性出力に対して異なる色再現性表現の問題。
【００１０】
この結果、一画面単一のホワイトバランス調整機能では画面内全領域での安定したホワイトバランス特性実現が困難になっている。
本発明は、上記課題を解決するためになされたものであり、その目的は、ホワイトバランスの画面内不均一・不安定性を改善させるための表示装置、画質調整方法及び画質調整装置を提供することにある。
【課題を解決するための手段】
【００１１】
上記問題点を解決するために、請求項１に記載の発明は、入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置であって、前記ガンマ調整ユニットは、ディスプレイの管面を分割した複数のブロックに対応させたガンマ調整手段を備え、前記ガンマ調整手段は、各ブロックにおける色度が一致するように調整されており、前記出力調整ユニットは、前記ブロック毎にゲイン調整手段を備え、前記ゲイン調整手段は、各ブロックにおける最大輝度が一致するように調整されており、前記ガンマ調整ユニットは、入力信号の走査位置が含まれるブロックを特定し、このブロックについてのガンマ調整手段を用いてガンマ調整を行ない、前記出力調整ユニットは、前記特定されたブロックについてのゲイン調整手段を用いてゲイン調整を行なうことを要旨とする。
【００１２】
請求項２に記載の発明は、請求項１に記載の表示装置において、前記ガンマ調整ユニットは、入力信号の走査位置が、前記特定されたブロックの隣接ブロックの境界から所定幅内にある場合には、前記特定されたブロックのガンマ調整手段及び前記隣接ブロックのガンマ調整手段を用いてガンマ調整を行なうことを要旨とする。
【００１３】
請求項３に記載の発明は、請求項２に記載の表示装置において、前記ガンマ調整ユニットは、入力信号の走査位置が前記特定されたブロックの隣接ブロックの境界から所定幅内にある場合には、前記境界からの距離に応じて、前記特定されたブロックのガンマ調整手段及び前記隣接ブロックのガンマ調整手段の重み付け制御によってガンマ調整を行なうことを要旨とする。
【００１４】
請求項４に記載の発明は、請求項１〜３のいずれか１つに記載の表示装置において、前記ブロックは、ディスプレイの管面の輝度分布のレベル差は基準値以下になるように定められた分割数を用いて決定されることを要旨とする。
【００１５】
請求項５に記載の発明は、前記ブロック毎に設けられた前記ガンマ調整手段は、第１ガンマ調整手段と第２ガンマ調整手段とから構成されており、前記ガンマ調整ユニットは、前記第１、第２ガンマ調整手段の出力の何れかを選択するスイッチ手段を介して出力調整
ユニットに接続され、前記第１ガンマ調整手段は、ＲＧＢ信号に含まれる各色のレベルが一致しない場合に用いる第１ガンマ特性を出力し、前記第２ガンマ調整手段は、前記第１ガンマ特性においてＲＧＢ信号に含まれる各色のレベルが一致する場合の輝度を共通にして異なる色度を設定した第２ガンマ特性を出力し、前記スイッチ手段は、ＲＧＢ信号に含まれる各色のレベルの一致を検知した場合のみ、前記第２ガンマ調整手段の出力を選択することを特徴とすることを要旨とする。
【００１６】
請求項６に記載の発明は、入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置の画質調整方法であって、前記ディスプレイの管面を分割した複数のブロックに分割する段階と、前記ブロック毎に、最大白色入力時に対する最小輝度を取得する段階と、前記ブロック毎において、前記最小輝度と、予め設定された目標色度になるようにＲＧＢ出力の出力調整を行なう段階と、前記出力調整に基づいて、前記ブロック毎において、一定のガンマ特性を実現できるようにガンマ調整ユニットを調整する段階とを実行することを要旨とする。
【００１７】
請求項７に記載の発明は、入力信号毎の入出力特性を調整するガンマ調整ユニットと、出力ゲイン・ＤＣオフセットを調整する出力調整ユニットと、前記出力調整ユニットにより駆動表示されるディスプレイとを備えた表示装置の画質を調整する画質調整装置であって、前記画質調整装置が、前記ディスプレイの管面を分割した複数のブロックに分割し、前記ブロック毎に、最大白色入力時に対する最小輝度を取得し、前記ブロック毎において、前記最小輝度と、予め設定された目標色度になるようにＲＧＢ出力の出力調整を行ない、前記出力調整に基づいて、前記ブロック毎において、一定のガンマ特性を実現できるようにガンマ調整ユニットを調整することを要旨とする。
【００１８】
（作用）
請求項１、６又は７に記載の発明によれば、表示装置は、入力信号毎の入出力特性を調整するガンマ調整ユニットと、出力ゲイン・ＤＣオフセットを調整する出力調整ユニットと、出力調整ユニットにより駆動表示されるディスプレイとを備える。ガンマ調整ユニットは、ディスプレイの管面を分割した複数のブロックに対応させたガンマ調整手段を備え、ガンマ調整手段は、各ブロックにおける色度が一致するように調整される。出力調整ユニットは、ブロック毎にゲイン調整手段を備え、ゲイン調整手段は、各ブロックにおける最大輝度が一致するように調整される。ガンマ調整ユニットは、入力信号の走査位置が含まれるブロックを特定し、このブロックについてのガンマ調整手段を用いてガンマ調整を行なう。更に、出力調整ユニットは、特定されたブロックについてのゲイン調整手段を用いてゲイン調整を行なう。これにより、分割された各ブロックにおいて、入力信号の輝度領域にわたる一定の色度を実現するとともに、ディスプレイ発色特性として、輝度信号及びＲＧＢ単色信号の正規化特性を同一特性で実現することができる。従って、周辺バックライト駆動装置等の高性能化に拠らず、大画面における画質の向上を実現することができる。また、ディスプレイとしても汎用的性能を実現できるので、従来必要としていた大画面ＴＶ設計特有の総合保証性能確保のために前処理系信号回路によるディスプレイ固有の特性、ばらつきを補正する工数を不要とする等のメリットも有する。
【００１９】
請求項２に記載の発明によれば、ガンマ調整ユニットは、入力信号の走査位置が、特定されたブロックの隣接ブロックの境界から所定幅内にある場合には、特定されたブロックのガンマ調整手段及び隣接ブロックのガンマ調整手段を用いてガンマ調整を行なう。これにより、各ブロック間での特性の整合を図ることができる。
【００２０】
請求項３に記載の発明によれば、ガンマ調整ユニットは、入力信号の走査位置が特定されたブロックの隣接ブロックの境界から所定幅内にある場合には、境界からの距離に応じ
て、特定されたブロックのガンマ調整手段及び隣接ブロックのガンマ調整手段の重み付け制御によってガンマ調整を行なう。これにより、各ブロック間において円滑に特性の整合を図ることができる。
【００２１】
請求項４に記載の発明によれば、ブロックは、ディスプレイの管面の輝度分布のレベル差は基準値以下になるように定められた分割数を用いて決定される。これにより、ディスプレイの特性に応じて適切な分割数を決定することができる。従って、ばらつきの少ないディスプレイにおいては少ないブロックで調整を行ない、ばらつきが大きいディスプレイにおいては分割数を増やして、きめ細かな調整を行なうことができる。
【００２２】
請求項４に記載の発明によれば、ブロック毎に設けられたガンマ調整手段は、第１ガンマ調整手段と第２ガンマ調整手段とから構成される。そして、ガンマ調整ユニットは、第１、第２ガンマ調整手段の出力の何れかを選択するスイッチ手段を介して出力調整ユニットに接続される。ここで、第１ガンマ調整手段は、ＲＧＢ信号に含まれる各色のレベルが一致しない場合に用いる第１ガンマ特性を出力し、第２ガンマ調整手段は、第１ガンマ特性においてＲＧＢ信号に含まれる各色のレベルが一致する場合の輝度を共通にして異なる色度を設定した第２ガンマ特性を出力する。そして、スイッチ手段は、ＲＧＢ信号に含まれる各色のレベルの一致を検知した場合のみ、第２ガンマ調整手段の出力を選択する。これにより、低輝度から高輝度領域まで安定したホワイトバランス特性（一定色度値）を簡易に実現することができる。そして、ＲＧＢの三色の階調特性及び輝度階調特性の整合性を保持することができ、ディスプレイ性能の汎用性を実現することができる。
【発明の効果】
【００２３】
本発明によれば、周辺バックライト駆動装置等の高性能化を行なうことなく、色再現性技術領域において、ディスプレイ画面全域にわたり安定したホワイトバランスを実現することができる。
【発明を実施するための最良の形態】
【００２４】
（第１の実施形態）
以下、本発明を具体化したディスプレイ特性調整回路２０の実施形態を、図１〜図１４に従って説明する。このディスプレイ特性調整回路２０は表示制御装置として機能し、液晶ディスプレイ（ＬＣＤ５０）と一体となって表示装置として機能する。このディスプレイ特性調整回路２０は、図１に示すように、ガンマ特性調整ブロック２１、ゲイン調整ブロック２２、バイアス調整ブロック２３から構成されている。
【００２５】
ここで、ガンマ特性調整ブロック２１はガンマ調整ユニットとして機能し、ＲＧＢの各信号に対して、それぞれガンマ調整器（２１Ｒ，２１Ｇ，２１Ｂ）を備える。各ガンマ調整器（２１Ｒ，２１Ｇ，２１Ｂ）はブロック別テーブル２１Ｔを備えており、入力されたＲＧＢ信号は、それぞれのブロック別テーブル２１Ｔを用いて変換される。各ブロック別テーブル２１Ｔは、図２に示すように、ディスプレイを所定の分割数（ここでは、ｎ行ｎ列）のブロックに分割して、ブロック毎のガンマ特性テーブルＴ（１，１）〜Ｔ（ｎ，ｎ）から構成されている。そして、入力信号の走査位置（表示画素）に応じて、この画素が含まれるブロックのガンマ特性テーブルを利用してガンマ調整を行なう。
【００２６】
更に、各ガンマ調整器（２１Ｒ，２１Ｇ，２１Ｂ）は、後述するように統合変換手段２１２を備える。この統合変換手段２１２は、ブロック間の境界領域における係数を生成する。本実施形態では、図３に示すように、隣接する他のブロックの境界近傍を境界領域ＢＺと定める。そして、後述するように、統合変換手段２１２は、この境界領域ＢＺに含まれる画素に対する入力信号に対して、周囲のブロックのガンマ特性テーブルを利用して新係数を生成するブロック制御処理を実行する。
【００２７】
ガンマ特性調整ブロック２１からの信号は、出力調整ユニットとしてのゲイン調整ブロック２２、バイアス調整ブロック２３を介してＬＣＤ５０に供給される。ここで、ゲイン調整手段としてのゲイン調整器（２２Ｒ，２２Ｇ，２２Ｂ）により各ＲＧＢ信号のゲインを調整する。一方、バイアス調整ブロック２３においては、バイアス調整手段としてのバイアス調整器（２３Ｒ，２３Ｇ，２３Ｂ）により各ＲＧＢ信号のＤＣオフセットを調整する。
【００２８】
次に、ブロック別テーブル２１Ｔの作成方法について、図４、図５を用いて説明する。この作成方法では、特性テーブル作成装置７０を用いる。この特性テーブル作成装置７０は、信号処理回路ＳＰや、ＬＣＤ５０の管面の刺激値を測定するカラーアナライザに接続されている。このカラーアナライザは、ＬＣＤ５０の管面上の複数の座標において刺激値を測定することができるように構成されている。そして、特性テーブル作成装置７０は制御部を備え、特性テーブル作成プログラムを実行することにより、ブロック分割処理、ガンマテーブル作成処理の各処理を実行する。
【００２９】
（ブロック分割処理）
まず、図４を用いて、ブロック分割処理を説明する。
まず、特性テーブル作成装置７０は、初期ブロック分割処理を実行する（ステップＳ１−１）。具体的には、特性テーブル作成装置７０は、図６に示すように、ディスプレイを所定に分割数（例えば、３行３列の９個）のブロックに分割する。
【００３０】
次に、特性テーブル作成装置７０は、各ブロックに対応させて最大輝度の測定処理を実行する（ステップＳ１−２）。具体的には、特性テーブル作成装置７０は、信号処理回路ＳＰに対してＲＧＢ信号の最大値をディスプレイ特性調整回路２０に入力するように指示する。そして、特性テーブル作成装置７０は、ＬＣＤ５０において出力される最大白色輝度をカラーアナライザから取得する。この場合、特性テーブル作成装置７０は、各ブロックの中心のブロック測定領域（Ｂ１〜Ｂ９）の最大輝度を個別に測定する。
【００３１】
更に、特性テーブル作成装置７０は、隣接するブロックの境界領域に設けられた水平方向及び垂直方向のサブブロック測定領域（ＳＢｈ１〜ＳＢｈ８、ＳＢｖ１〜ＳＢｖ６）の最大輝度を個別に測定する。ここで、「ｈ」は水平方向のサブブロックを意味し、「ｖ」は垂直方向のサブブロックを意味する。そして、隣接するブロック測定領域とサブブロック測定領域の輝度Ｌｖを並べると、図７（ａ）に示すようになる。
【００３２】
次に、特性テーブル作成装置７０は、水平方向のブロック分割条件の評価を評価点（ｉ）毎に繰り返して行なう。
まず、特性テーブル作成装置７０は、測定した輝度を水平方向の隣接ブロックについて、ブロック分割条件に当てはめる（ステップＳ１−３）。具体的には、特性テーブル作成装置７０は、図７（ａ）のように隣接するブロック測定領域とサブブロック測定領域の輝度を、以下のブロック分割条件を用いて評価する。
・  単調増加あるいは単調減少の場合
Ｌｖ（Ｂｉ）≦Ｌｖ（Ｓｂｉ）≦Ｌｖ（Ｂｉ＋１）  …  （１）
或いは
Ｌｖ（Ｂｉ＋１）≦Ｌｖ（Ｓｂｉ）≦Ｌｖ（Ｂｉ）  …  （２）
・  傾きが変更している場合には、レベル差は基準値以下になることを条件とする（ここで、「ｋ」は所定係数）。
｜Ｌｖ（Ｂｉ）−Ｌｖ（ＳＢｉ）｜≦Ｌｖ（Ｂｉ）＊ｋ  …  （３）
或いは
｜Ｌｖ（Ｂｉ＋１）−Ｌｖ（ＳＢｉ）｜≦Ｌｖ（Ｂｉ＋１）＊ｋ  …  （４）
そして、ブロック分割条件を満足する場合（ステップＳ１−４において「ＹＥＳ」の場合）、特性テーブル作成装置７０は、次の評価点（ｉ）についての評価を行なう。一方、ブロック分割条件を満足しない場合（ステップＳ１−４において「ＮＯ」の場合）、特性テーブル作成装置７０は、ブロック分割の変更処理を実行する（ステップＳ１−５）。具体的には、特性テーブル作成装置７０は、ブロックサイズを「１／２」にする。例えば、３行３列のブロックを用いて評価している場合には、６行６列にブロック分割を変更する。そして、分割されたブロックを用いて、再度、最大輝度の測定処理を実行する（ステップＳ１−２）。
【００３３】
そして、垂直方向の隣接ブロックについて、すべての評価点（ｉ）において、ブロック分割条件を満足した場合、水平方向と同様に、垂直方向に隣接するブロック測定領域とサブブロック測定領域の輝度をブロック分割条件に当てはめる（ステップＳ１−６）。この場合にも、上述の式（１）〜（４）に、各評価点における測定輝度を当てはめる。
【００３４】
そして、ブロック分割条件を満足する場合（ステップＳ１−７において「ＹＥＳ」の場合）、特性テーブル作成装置７０は、次の評価点（ｉ）についての評価を行なう。一方、ブロック分割条件を満足しない場合（ステップＳ１−７において「ＮＯ」の場合）、特性テーブル作成装置７０は、ブロック分割の変更処理を実行する（ステップＳ１−８）。具体的には、特性テーブル作成装置７０は、ブロックサイズを「１／２」にする。そして、このブロック分割を用いて、再度、最大輝度の測定処理を実行する（ステップＳ１−２）。
【００３５】
そして、水平方向、垂直方向のすべての評価点においてブロック分割条件を満足した場合、特性テーブル作成装置７０は、ブロックの決定処理を実行する（ステップＳ１−９）。具体的には、特性テーブル作成装置７０は、ガンマ特性テーブルを作成するブロック（ｉ，ｊ）を決定し、各ブロック（ｉ，ｊ）の配置（ブロックに含まれる画素の座標情報）をメモリに記憶する。
【００３６】
（ガンマテーブル作成処理）
次に、図５を用いて、ガンマテーブル作成処理を説明する。
特性テーブル作成装置７０は、ブロック毎の輝度取得処理を実行する（ステップＳ２−１）。具体的には、特性テーブル作成装置７０は、ブロック分割処理において決定したブロック毎に最大（白色）輝度を取得する。ここでは、図８に示す分布Ｍ１１ように、９個に分割されたブロックにおける測定輝度（Ｌｖ１〜Ｌｖ９）を用いる場合を想定する。
【００３７】
そして、特性テーブル作成装置７０は、輝度最小値の決定処理を実行する（ステップＳ２−２）。具体的には、特性テーブル作成装置７０は、決定されたブロック分割において、最大（白色）輝度信号入力時の最小の輝度を特定する。本実施形態では、輝度Ｌｖ９が最小値である場合を想定する。更に、特性テーブル作成装置７０は、目標色度（ｘ０，ｙ０）を取得する。本実施形態では、予め設定された目標色度（ｘ０，ｙ０）を所定のメモリから取得する。
【００３８】
次に、特性テーブル作成装置７０は、ブロック毎に、ガンマ特性テーブルの作成を行なう。ここでは、まず、特性テーブル作成装置７０は、輝度最小値、目標色度を用いて、ブロック毎にホワイトバランス調整処理を実行する（ステップＳ２−３）。具体的には、特性テーブル作成装置７０は、図８に示す分布Ｍ１２のように、最大輝度（白色）時には、目標輝度として輝度Ｌｖ９、目標色度（ｘ０，ｙ０）になるように、ブロック毎にゲインを調整してホワイトバランス調整を行なう。更に、特性テーブル作成装置７０は、ブロック毎に、バイアス調整器（２３Ｒ，２３Ｇ，２３Ｂ）を用いてカットオフ調整を行なう。
【００３９】
次に、特性テーブル作成装置７０は、ブロック毎に正規化ガンマ特性の算出処理を実行する（ステップＳ２−４）。具体的には、特性テーブル作成装置７０は、信号処理回路ＳＰに対してＲＧＢの単色入力信号を、ブロック毎にディスプレイ特性調整回路２０に順次入力するように指示する。そして、特性テーブル作成装置７０は、ブロック毎に、カラーアナライザを用いてＬＣＤ５０において出力される刺激値（ＸＹＺ）を測定することにより中間階調の測定を行なう。そして、ブロック毎に、最大輝度により正規化したガンマ特性を算出する。
【００４０】
更に、特性テーブル作成装置７０は、各ブロックにおけるガンマ特性テーブルＴ（ｉ，ｊ）の作成処理を実行する（ステップＳ２−５）。具体的には、特性テーブル作成装置７０は、正規化ガンマ特性においてガンマ値が所定値（例えば、「γ＝２．２」）になるように入力と出力との関係を決定するガンマ特性テーブルＴ（ｉ，ｊ）をブロック毎に作成する。この結果、図８に示すように、ブロック毎にガンマ特性テーブルＴ（ｉ，ｊ）を算出したブロック別テーブル２１Ｔが生成される。このように、特性テーブル作成装置７０は、ＲＧＢ単色信号毎に生成したガンマ特性テーブルＴ（ｉ，ｊ）を、各ガンマ調整器（２１Ｒ，２１Ｇ，２１Ｂ）に記録する。
【００４１】
（ブロック制御処理）
次に、画像表示時に、ブロック毎のガンマ特性テーブルを用いて実行されるブロック制御処理を説明する。ここでは、各ガンマ調整器（２１Ｒ，２１Ｇ，２１Ｂ）の統合変換手段２１２が、入力信号の走査位置を特定して、この走査位置に基づいてブロック制御処理を実行する。
【００４２】
この統合変換手段２１２は、入力信号の走査位置が境界領域ＢＺでない場合には、この走査位置のブロックのガンマ特性テーブルを利用してガンマ調整を行なう。一方、図３に示すように境界領域ＢＺの画素に対する入力信号に対しては、この統合変換手段２１２は周囲の隣接ブロックのガンマ特性テーブルを利用して新係数を生成する。
【００４３】
境界領域ＢＺは、ブロック境界線からブロックサイズに応じて決定される一定幅の領域である。この統合変換手段２１２は、ブロックサイズに対応して境界幅に関するデータを保持しており、ブロックサイズに対応する境界幅を用いて境界領域ＢＺを決定する。例えば、図３に示すように、ブロック（ｉ，ｊ）、（ｉ＋１，ｊ）、（ｉ＋１，ｊ＋１）、（ｉ＋１，ｊ＋１）の境界領域ＢＺにおいては、図９に示すように、ガンマ特性テーブル（Ｔ（ｉ，ｊ）、Ｔ（ｉ＋１，ｊ）、Ｔ（ｉ＋１，ｊ＋１）、Ｔ（ｉ＋１，ｊ＋１））を用いてＲＧＢ信号を変換する。
【００４４】
統合変換手段２１２は、図１０に示すように、水平方向係数制御手段２１２Ｈ、垂直方向係数制御手段２１２Ｖ及び斜め方向係数制御手段２１２Ｄから構成される。そして、表示画素の位置に応じて、ガンマ特性テーブルＴを用いて新係数を生成する。具体的には、水平方向係数制御手段２１２Ｈは、水平方向の２つのブロックから構成された境界領域ＢＺにおいて新係数を生成する。ここで、ブロック（ｉ，ｊ）とブロック（ｉ＋１，ｊ）との境界領域ＢＺでは、以下の算出式により新係数を算出する重み付け制御を行なう。
〔水平方向の新係数〕＝ｋ＊Ｔ（ｉ，ｊ）＋（１−ｋ）＊Ｔ（ｉ，ｊ＋１）
ここで、１＞ｋ＞０として、境界領域ＢＺにおいて、ブロック（ｉ，ｊ）の中心寄りからブロック（ｉ＋１，ｊ）の中心寄りに移動するにつれて、ｋは「１」〜「０」に線形的に減少し、ブロック境界において「１／２」となる。
【００４５】
一方、垂直方向係数制御手段２１２Ｖは、垂直方向の２つのブロックから構成された境界領域ＢＺにおいて新係数を生成する。ここでも、水平方向と同様に、ブロック（ｉ，ｊ）とブロック（ｉ，ｊ＋１）との隣接領域では、以下の算出式により新係数を算出する。
〔垂直方向の新係数〕＝ｋ＊Ｔ（ｉ，ｊ）＋（１−ｋ）＊Ｔ（ｉ＋１，ｊ）
そして、斜め方向係数制御手段２１２Ｄは、４つのブロック（（ｉ，ｊ）、（ｉ＋１，ｊ）、（ｉ，ｊ＋１）、（ｉ＋１，ｊ＋１））から境界幅で囲まれた境界領域ＢＺにおいて、以下のように〔斜め方向の新係数〕を生成する。ここでは、図１２に示すように、各ブロックのガンマ特性テーブル（Ｔ（ｉ，ｊ）〜Ｔ（ｉ＋１，ｊ＋１））を用いて、水平成分と垂直成分に分けて算出する。
【００４６】
まず、ブロック（ｉ，ｊ）／（ｉ，ｊ＋１）間のガンマ特性テーブルＴｈ（ｉ，ｊ）を算出する。
Ｔｈ（ｉ，ｊ）＝ｋ１＊Ｔ（ｉ，ｊ）＋（１−ｋ１）＊Ｔ（ｉ，ｊ＋１）
次に、ブロック（ｉ＋１，ｊ）／（ｉ＋１，ｊ＋１）間のガンマ特性テーブルＴｈ（ｉ＋１，ｊ）を算出する。
Ｔｈ（ｉ＋１，ｊ）＝ｋ１＊Ｔ（ｉ＋１，ｊ）＋（１−ｋ１）＊Ｔ（ｉ＋１，ｊ＋１）
次に、ブロック（ｉ，ｊ）／（ｉ＋１，ｊ）間のガンマ特性テーブルＴｖ（ｉ，ｊ）を算出する。
Ｔｖ（ｉ，ｊ）＝ｋ２＊Ｔ（ｉ，ｊ）＋（１−ｋ２）＊Ｔ（ｉ＋１，ｊ）
更に、ブロック（ｉ，ｊ＋１）／（ｉ＋１，ｊ＋１）間のガンマ特性テーブルＴｖ（ｉ，ｊ＋１）を算出する。
Ｔｖ（ｉ，ｊ＋１）＝ｋ２＊Ｔ（ｉ，ｊ＋１）＋（１−ｋ２）＊Ｔ（ｉ＋１，ｊ＋１）
そして、斜め方向の新係数は以下のように表わされる。
〔斜め方向の新係数〕＝［｛ｋ２＊Ｔｈ（ｉ，ｊ）＋（１−ｋ２）＊Ｔｈ（ｉ＋１，ｊ）｝＋｛ｋ１＊Ｔｖ（ｉ，ｊ）＋（１−ｋ１）＊Ｔｖ（ｉ，ｊ＋１）｝］／２
次に、このような新係数の算出の意味を説明する。図１１に示すように、所定のブロックＢｉの測定輝度ＬＭ１０とした場合、この測定輝度ＬＭ１０はブロックＢ（ｉ）における平均的な輝度を示していることになる。一方、実際の画素毎の輝度は、ブロックＢ（ｉ）内において揺らいでおり、例えば輝度ＬＭ１１のようになる。隣接するブロックＢ（ｉ＋１）においても、測定輝度ＬＭ１４に対して、画素に応じて輝度ＬＭ１５は揺らいでいる。
【００４７】
ここで、ゲイン調整により、ブロックＢ（ｉ）における平均輝度をブロックＢ（ｉ）における測定輝度ＬＭ１４に一致させて輝度ＬＭ１２にする。この場合、輝度ＬＭ１１は輝度ＬＭ１３になる。ここで、ＸＹＺ刺激値を（Ｘａ，Ｙａ，Ｚａ）とした場合、（ｘ０，ｙ０，Ｙａ）を目標値としてホワイトバランス調整を行なうことにより、ＸＹＺ刺激値が（Ｘａ’，Ｙａ，Ｚａ’）になるとする。ここで、Ｙａを一定とした場合、（Ｘａ，Ｙａ，Ｚａ）と（Ｘａ’，Ｙａ，Ｚａ’）との間には、図１３に示す式Ｅ１０が成立する。
【００４８】
ここで、各ブロックにおける平均測定値から、このブロックを構成する各画素の測定刺激値のずれを（ΔＸ，ΔＹ，ΔＺ）とすると、図１３に示す式Ｅ１１が成立する。ここで、「Ｑ」は、ブロックＢ（ｉ）内の所定画素における刺激値である。
【００４９】
輝度Ｙａに調整された隣接ブロック（ブロックＢ（ｉ＋１））のブロック境界内での共通画素に対して同様に考えると、図１３に示す式Ｅ１２が成立する。ここで、（ΔＸ’，ΔＹ’，ΔＺ’）は測定刺激値のずれ、「Ｗ」は隣接ブロック（ブロックＢ（ｉ＋１））から見た共通画素における刺激値である。
【００５０】
そして、管面上での光学的測定値に対して、「Ｑ」、「Ｗ」を線型加算すると、図１３に示す式Ｅ１３が成立し、平均測定値は変化せずに誤差成分の加重平均による均等化がなされることがわかる。
【００５１】
ここで、式Ｅ１３の右辺第２項、第３項の部分に着目すると、ガンマ特性テーブルが実
現する輝度特性でＹａの位置にある画素の輝度をｋ倍して変換することになる。従って、管面の測定値での線型加算は、図１４（ａ）に示すように輝度をｋ倍する変換により、図１４（ｂ）に示すように、ガンマ特性テーブルのデータ変換として、ＲＧＢ信号レベル量への変換を行ない、等価的に実現することができる。
【００５２】
本実施形態によれば、以下のような効果を得ることができる。
・  本実施形態では、ガンマ特性調整ブロック２１はガンマ調整ユニットとして機能し、ＲＧＢの各信号に対して、それぞれガンマ調整器（２１Ｒ，２１Ｇ，２１Ｂ）を備える。各ガンマ調整器（２１Ｒ，２１Ｇ，２１Ｂ）はブロック別テーブル２１Ｔを備えており、入力されたＲＧＢ信号は、走査位置（表示画素）に応じてブロック別テーブル２１Ｔを用いて変換される。これにより、画面を複数のブロックに分割し、その任意のブロックにおいてＲＧＢの階調特性のバランスを一定とすることが可能になる。
【００５３】
・  本実施形態では、各ガンマ調整器（２１Ｒ，２１Ｇ，２１Ｂ）は、統合変換手段２１２を備える。この統合変換手段２１２は、境界領域ＢＺの画素に対する入力信号に対して、周囲のブロックのガンマ特性テーブルを利用して新係数を生成する。これにより、ブロック間の画質を調整して円滑な表示を行なうことができる。
【００５４】
（第２の実施形態）
以下、本発明を具体化した第２の実施形態を、図１５〜図１７に従って説明する。この第２の実施形態においては、第１の実施形態におけるディスプレイ特性調整回路２０に対して、２種類のＣ軸特性調整器及びＹ軸特性調整器を設け、各々にガンマ特性テーブルを保持させる。ここで、Ｃ軸特性調整器及びＹ軸特性調整器に、ブロック毎に各々のガンマ特性テーブルを設ける点については、上記第１の実施形態と共通している。
【００５５】
本実施形態においては、ディスプレイ特性調整回路３０が表示制御装置として機能し、液晶ディスプレイ（ＬＣＤ５０）と一体となって表示装置として機能する。このディスプレイ特性調整回路３０は、図１５に示すように、ガンマ特性調整ブロック３１、スイッチブロック３２、ゲイン調整ブロック３３、バイアス調整ブロック３４から構成されている。
【００５６】
ここで、ガンマ特性調整ブロック３１はガンマ調整ユニットとして機能し、ＲＧＢの各信号に対して、それぞれ第２ガンマ調整手段としてのＹ軸特性調整器（３１１Ｒ，３１１Ｇ，３１１Ｂ）と、第１ガンマ調整手段としてのＣ軸特性調整器（３１２Ｒ，３１２Ｇ，３１２Ｂ）を備える。Ｙ軸特性調整器（３１１Ｒ，３１１Ｇ，３１１Ｂ）及びＣ軸特性調整器（３１２Ｒ，３１２Ｇ，３１２Ｂ）は、第１の実施形態と同様に、ブロック別テーブル２１Ｔ、統合変換手段２１２を備える。そして、入力されたＲＧＢ信号は、Ｙ軸特性調整器又はＣ軸特性調整器のガンマ特性テーブルを用いて変換されて、スイッチブロック３２に供給される。
【００５７】
スイッチブロック３２はスイッチ手段として機能し、Ｙ軸特性調整器からの出力とＣ軸特性調整器からの出力とを、スイッチ（３２Ｒ，３２Ｇ，３２Ｂ）を用いて切り替え制御を行なう。このスイッチブロック３２は、スイッチ制御部３２１からの信号に基づいて制御される。このスイッチ制御部３２１は、ＲＧＢ信号の各ＲＧＢ入力値が一致する場合には、各スイッチ（３２Ｒ、３２Ｇ、３２Ｂ）に対してＹ軸特性調整器（３１１Ｒ，３１１Ｇ，３１１Ｂ）を用いて変換された信号を選択させる信号を出力する。一方、ＲＧＢ各入力値が一致しない場合には、スイッチ制御部３２１は、各スイッチ（３２Ｒ、３２Ｇ、３２Ｂ）に対してＣ軸特性調整器（３１２Ｒ，３１２Ｇ，３１２Ｂ）を用いて変換された信号を選択させる信号を出力する。
【００５８】
そして、スイッチブロック３２からの信号は、出力調整ユニットとしてのゲイン調整ブロック３３、バイアス調整ブロック３４を介してＬＣＤ５０に供給される。ここで、ゲイン調整器（３３Ｒ，３３Ｇ，３３Ｂ）により各ＲＧＢ信号のゲインを調整する。一方、バイアス調整ブロック３４においては、バイアス調整器（３４Ｒ，３４Ｇ，３４Ｂ）により各ＲＧＢ信号のＤＣオフセットを調整する。
【００５９】
次に、Ｃ軸特性調整器におけるＣ軸特性テーブルとＹ軸特性調整器におけるＹ軸特性テーブルの作成方法について、図１６を用いて説明する。この処理では、特性テーブル作成装置７０を用いる。この特性テーブル作成装置７０は、信号処理回路ＳＰや、ＬＣＤ５０の管面の刺激値を測定するカラーアナライザに接続されている。そして、特性テーブル作成装置７０は制御部を備え、特性テーブル作成プログラムを実行することにより、最大輝度色度調整段階、ガンマ調整段階、ディスプレイ発光特性測定段階、第２ガンマ特性作成段階の各処理を実行する。
【００６０】
本願発明では、まず、第１の実施形態と同様に、特性テーブル作成装置７０が、ブロック分割処理、ガンマテーブル作成処理におけるステップＳ２−２までを実行する。そして、引き続き、特性テーブル作成装置７０が、ブロック毎に以下の処理を実行する。
【００６１】
まず、特性テーブル作成装置７０は、スイッチ制御部３２１に対して、Ｃ軸特性調整器（３１２Ｒ，３１２Ｇ，３１２Ｂ）を選択するスイッチ制御を行なう。そして、特性テーブル作成装置７０は、最大（白色）輝度を測定する（ステップＳ３−１）。具体的には、特性テーブル作成装置７０は、信号処理回路ＳＰに対してＲＧＢ信号の最大値をディスプレイ特性調整回路３０に入力するように指示する。そして、特性テーブル作成装置７０は、ＬＣＤ５０において出力される最大白色輝度をカラーアナライザから取得する。
【００６２】
次に、特性テーブル作成装置７０は、ゲイン調整を行なう（ステップＳ３−２）。具体的には、特性テーブル作成装置７０は、設定された目標輝度（各ブロックの最小輝度）、目標色度（ｘ０，ｙ０）を取得する。そして、特性テーブル作成装置７０は、ゲイン調整器（３３Ｒ，３３Ｇ，３３Ｂ）を用いて、目標輝度、目標色度（ｘ０，ｙ０）になるようにホワイトバランス調整を行なう。ここでは、目標輝度としては、ブロック分割において特定された最大入力信号時の最小値を用いる。更に、特性テーブル作成装置７０は、バイアス調整器（３４Ｒ，３４Ｇ，３４Ｂ）を用いてカットオフ調整を行なう。
【００６３】
次に、特性テーブル作成装置７０は、中間階調の測定処理を実行する（ステップＳ３−３）。具体的には、特性テーブル作成装置７０は、信号処理回路ＳＰに対してＲＧＢの単色入力信号（Ｒｉ，Ｇｉ，Ｂｉ）をディスプレイ特性調整回路３０に順次入力するように指示する。ここでは、「ｉ」はフルレンジをｎビット量子化数でｍ分割した時のｉ番目の評価点を表す。そして、特性テーブル作成装置７０は、カラーアナライザを用いてＬＣＤ５０において出力される刺激値（ＸＹＺ）を測定することにより、中間階調の測定を行なう。
【００６４】
次に、特性テーブル作成装置７０は、ガンマ特性の一定化調整処理を実行する（ステップＳ３−４）。具体的には、特性テーブル作成装置７０は、ＲＧＢの各ガンマ特性が同じ一定の特性になるように、Ｃ軸特性調整器（３１２Ｒ，３１２Ｇ，３１２Ｂ）のＣ軸特性テーブルを調整する。ここでは、管面上での発光特性により各々がγ＝ｋ（例２．２）となるように調整する。
【００６５】
そして、特性テーブル作成装置７０は、ガンマ特性テーブル作成処理を実行する（ステップＳ３−５）。具体的には、ガンマ特性の一定化調整処理を行なったときの値を用いてガンマ特性テーブル（Ｃ軸特性テーブル）を作成する。
【００６６】
次に、特性テーブル作成装置７０は、Ｙ軸特性調整器のＹ軸特性テーブルの作成を行なう。このＹ軸特性テーブルはＣ軸特性テーブルをベースにして作成する。
まず、特性テーブル作成装置７０は、各単色及び輝度信号の中間階調測定処理を実行する（ステップＳ３−６）。具体的には、特性テーブル作成装置７０は、信号処理回路ＳＰに対して、ＲＧＢの単色入力信号（Ｒｉ，Ｇｉ，Ｂｉ）をディスプレイ特性調整回路３０に、評価点「ｉ」毎に順次入力するように指示する。そして、特性テーブル作成装置７０は、各評価点「ｉ」における各単色入力信号についてＬＣＤ５０において出力される単色出力値（Ｒｓ（ｉ），Ｇｓ（ｉ），Ｂｓ（ｉ））をカラーアナライザから取得する。これにより、ＲＧＢ各実測階調特性を取得する。この場合、単色出力値（Ｒｓ（ｉ），Ｇｓ（ｉ），Ｂｓ（ｉ））は、図１７に示すように、それぞれ式Ｅ２１のようにＸＹＺ刺激値によって表わされる。この場合、単色入力信号Ｒｉに対する管面輝度として単色出力値Ｒｓ（ｉ）が測定される。
【００６７】
ここで、単色出力値Ｒｓ（ｉ）はＸＹＺ刺激値（Ｘｒ，Ｙｒ，Ｚｒ）、単色出力値Ｇｓ（ｉ）に対するＸＹＺ刺激値（Ｘｇ，Ｙｇ，Ｚｇ）、単色出力値Ｂｓ（ｉ）に対するＸＹＺ刺激値を（Ｘｂ，Ｙｂ，Ｚｂ）によって表される。
【００６８】
更に、特性テーブル作成装置７０は、信号処理回路ＳＰに対して、入力レベルの等しい信号（Ｒｉ＝Ｇｉ＝Ｂｉ）を、ディスプレイ特性調整回路３０に評価点「ｉ」毎に順次入力するように指示する。そして、特性テーブル作成装置７０は、ＬＣＤ５０において出力される輝度をカラーアナライザから取得する。この場合、評価点「ｉ」では、カラーアナライザにより測定したＸＹＺ刺激値（Ｘｉ，Ｙｉ，Ｚｉ）において、輝度は「Ｙｉ」を用いて表わされる。
【００６９】
以下の処理は評価点「ｉ」毎に実施する。ここでは、評価点「ｉ」においては、輝度Ｙｉであって、色度（ｘ０，ｙ０）となるようにＲＧＢ信号の補正を行なう。
まず、特性テーブル作成装置７０は、変換係数の算出処理を実行する（ステップＳ３−７）。具体的には、特性テーブル作成装置７０は、式Ｅ２２に示すように、特性テーブル作成装置７０は、単色出力値（Ｒｓ（ｉ），Ｇｓ（ｉ），Ｂｉｓ（ｉ））の加算処理を行なう。具体的には、特性テーブル作成装置７０は、ＸＹＺ刺激値（Ｘｒ，Ｙｒ，Ｚｒ）、（Ｘｒ，Ｙｒ，Ｚｒ）、（Ｘｂ，Ｙｂ，Ｚｂ）をＲＧＢ毎に加算して加算値（Ｘｋ，Ｙｋ，Ｚｋ）を算出する。
【００７０】
ここで、実際に測定したＸＹＺ刺激値（Ｘｉ，Ｙｉ，Ｚｉ）と加算値（Ｘｋ，Ｙｋ，Ｚｋ）について、変換係数（ｋｒｉ、ｋｇｉ、ｋｂｉ）を用いて式Ｅ２３により表現することができる。そして、特性テーブル作成装置７０は、この式Ｅ２３を用いて変換係数（ｋｒｉ、ｋｇｉ、ｋｂｉ）を算出する。
【００７１】
次に、特性テーブル作成装置７０は、ＲＧＢ各実測階調特性から目標ＲＧＢ値算出処理を実行する（ステップＳ３−８）。具体的には、評価点「ｉ」において、信号（Ｒｉ＝Ｇｉ＝Ｂｉ）の目標値は、輝度がＹｉであり、色度（ｘ０，ｙ０）である。そして、輝度：Ｙｉ、色度（ｘ０，ｙ０）に対応して目標値（Ｘ０，Ｙｉ，Ｚ０）となる。
【００７２】
そして、特性テーブル作成装置７０は、ガンマ特性テーブルと目標ＲＧＢ値とからＲＧＢ補正値の算出処理を実行する（ステップＳ３−９）。具体的には、目標値（Ｘ０，Ｙｉ，Ｚ０）を取得するためには、加法混色の加算値（Ｘｋ’，Ｙｋ’，Ｚｋ’）と変換係数（ｋｒｉ，ｋｇｉ，ｋｂｉ）の間には式Ｅ２４に示す関係が成立する。この式Ｅ２４から、加算値（Ｘｋ’，Ｙｋ’，Ｚｋ’）を算出することができる。
【００７３】
そして、加算値（Ｘｋ’，Ｙｋ’，Ｚｋ’）は、単色出力値（Ｒｓ（ｉ），Ｇｓ（ｉ），Ｂｓ（ｉ））と補正係数（ｋ１、ｋ２、ｋ３）の間には式Ｅ２５に示す関係が成立する。この式Ｅ２５から、補正係数（ｋ１、ｋ２、ｋ３）を算出することができる。
【００７４】
そして、単色出力値Ｒｓ（ｉ）に対して、係数ｋ１を乗算して加法混色を成立させるためには出力値Ｒｓ（ｉ）’を用いる必要がある。この場合、出力値Ｒｓ（ｉ）’に対して単色入力信号Ｒｉ’を特定することができる。そして、ガンマ特性テーブルにおいて入力値Ｒｉ’における出力を、単色入力信号Ｒｉの出力値として設定する。
【００７５】
次に、特性テーブル作成装置７０は、Ｙ軸特性テーブル作成処理を実行する（ステップＳ３−１０）。上述のように、特性テーブル作成装置７０は、補正された出力値を用いてＹ軸特性テーブルを作成する。
【００７６】
そして、特性テーブル作成装置７０は、テーブル登録処理を実行する（ステップＳ３−１１）。具体的には、特性テーブル作成装置７０は、ステップＳ３−５において作成したガンマ特性テーブルをＣ軸特性テーブルとして、Ｃ軸特性調整器（３１２Ｒ，３１２Ｇ，３１２Ｂ）に登録する。更に、ステップＳ３−１０において作成したガンマ特性テーブルをＹ軸特性テーブルとして、Ｙ軸特性調整器（３１１Ｒ，３１１Ｇ，３１１Ｂ）として登録する。以上により、ブロック毎にガンマ特性調整ブロック３１の調整を行なう。このように生成されたブロック毎のＣ軸特性テーブル、Ｙ軸特性テーブルを用いて、統合変換手段２１２が第１の実施形態と同様にブロック制御を行なう。
【００７７】
本実施形態によれば、第１の実施形態の効果に加えて、以下のような効果を得ることができる。
・  本実施形態では、ディスプレイ特性調整回路３０のガンマ特性調整ブロック３１は、ＲＧＢの各信号に対して、それぞれＹ軸特性調整器（３１１Ｒ，３１１Ｇ，３１１Ｂ）とＣ軸特性調整器（３１２Ｒ、３１２Ｇ、３１２Ｂ）を備える。ガンマ特性調整ブロック３１に接続されたスイッチブロック３２は、Ｙ軸特性調整器からの出力とＣ軸特性調整器からの出力との切り替え制御を行なう。ここで、スイッチ制御部３２１は、ＲＧＢ信号の各ＲＧＢ入力値が一致する場合にはＹ軸特性調整器を用い、ＲＧＢ各入力値が一致しない場合にはＣ軸特性調整器を用いる。そして、Ｙ軸特性調整器においては、Ｃ軸特性調整器における輝度と一致し、かつ色度が一定のガンマ特性が設定されている。これにより、無彩色において入力信号の輝度領域にわたる一定の色度を実現することができる。従って、低輝度から高輝度領域まで安定したホワイトバランス特性（一定色度値）を実現することができる。この場合、周辺バックライト駆動装置等の高性能化を行なう必要もない。更に、Ｃ軸特性調整器とＹ軸特性調整器とからの出力の輝度が一致しているため、両者を円滑に切り替えることができる。
【００７８】
・  本実施形態では、特性テーブル作成装置７０は、設定された目標輝度、目標色度（ｘ０，ｙ０）を取得する。この目標輝度、目標色度（ｘ０，ｙ０）を用いて調整するため、ディスプレイ発色特性として、輝度信号及び単色入力信号の正規化特性を同一特性で実現することができる。
【００７９】
また、上記実施形態は以下のように変更してもよい。
○  上記第１、第２の実施形態においては、ディスプレイとして、液晶ディスプレイ（ＬＣＤ５０）を用いたが、調整対象はこれに限られるものではなく、プラズマディスプレイやプロジェクターなど画像出力装置に適用することが可能である。
【００８０】
○  上記第１、第２の実施形態においては、ディスプレイ特性調整回路３０はＬＣＤ５０と一体となって表示装置として機能させたが、ハードウエアの構成は限定されるもので
はなく、同一筐体や別筐体により実現することが可能である。
【００８１】
○  上記第１、第２の実施形態においては、ブロック分割処理において、ブロックに分割してから輝度を測定した。これに代えて、最大輝度信号入力時のＸＹＺ刺激値の２次元分布を測定することにより、この輝度を用いてブロック分割を行なうようにしてもよい。
【図面の簡単な説明】
【００８２】
【図１】本発明の一実施形態のディスプレイ特性調整回路の説明図。
【図２】ブロック別テーブルの説明図。
【図３】隣接ブロックとの境界領域の説明図。
【図４】ブロック分割処理の処理手順の説明図。
【図５】ガンマテーブル作成処理の処理手順の説明図。
【図６】ブロック測定領域及びサブブロック測定領域及の説明図。
【図７】ブロックとサブブロックの輝度の説明図であって、（ａ）は分割前の説明図、（ｂ）は分割後の説明図。
【図８】ブロック別テーブルの作成手順の説明図。
【図９】ブロック制御の説明図。
【図１０】統合変換手段の機能ブロックの説明図。
【図１１】隣接ブロックとの輝度との関係の説明図。
【図１２】斜め方向の新係数の算出方法の説明図。
【図１３】制御特性と画素単位の偏差の説明図。
【図１４】管面輝度とガンマ特性への等価変換の説明図であって、（ａ）は入力−輝度の関係図、（ｂ）は入力−出力の関係図。
【図１５】第２の実施形態のディスプレイ特性調整回路の説明図。
【図１６】ガンマ特性テーブルの作成の説明図。
【図１７】補正係数算出処理の説明図。
【図１８】従来のディスプレイ特性調整回路の説明図。
【図１９】従来の調整方法の説明図であって、（ａ）は正規化出力におけるゲイン・バイアス調整の説明図、（ｂ）はガンマ一定化調整の説明図。
【符号の説明】
【００８３】
Ｂ，Ｂｉ…ブロック、２０，３０…ディスプレイ特性調整回路、２１，３１…ガンマ特性調整ブロック、２１Ｒ，２１Ｇ，２１Ｂ…ガンマ調整器、２１Ｔ…ブロック別テーブル、２１２…統合変換手段、３１１Ｒ，３１１Ｇ，３１１Ｂ…Ｙ軸特性調整器、３１２Ｒ，３１２Ｇ，３１２Ｂ…Ｃ軸特性調整器、３２…スイッチブロック、３２１…スイッチ制御部、２２，３３…ゲイン調整ブロック、２２Ｒ，２２Ｇ，２２Ｂ，３３Ｒ，３３Ｇ，３３Ｂ…ゲイン調整器、２３，３４…バイアス調整ブロック、２３Ｒ，２３Ｇ，２３Ｂ，３４Ｒ，３４Ｇ，３４Ｂ…バイアス調整器、７０…特性テーブル作成装置。
【図１】
2008306431.tif 000003
【図２】
2008306431.tif 000004
【図３】
2008306431.tif 000005
【図４】
2008306431.tif 000006
【図５】
2008306431.tif 000007
【図６】
2008306431.tif 000008
【図７】
2008306431.tif 000009
【図８】
2008306431.tif 000010
【図９】
2008306431.tif 000011
【図１０】
2008306431.tif 000012
【図１１】
2008306431.tif 000013
【図１２】
2008306431.tif 000014
【図１３】
2008306431.tif 000015
【図１４】
2008306431.tif 000016
【図１５】
2008306431.tif 000017
【図１６】
2008306431.tif 000018
【図１７】
2008306431.tif 000019
【図１８】
2008306431.tif 000020
【図１９】
2008306431.tif 000021